(57)【要約】【課題】組立性、信頼性および商品性に優れた傘を提供すること。【解決手段】昇降管30を押し上げると、支骨31が上昇しつつ親骨21が開傘すると共に、支骨がロクロ20に固定される傘１において、ロクロ及び昇降管がそれぞれ上下ロクロ20a、20bと上下昇降管30a、30bとに分離形成され、上ロクロには多数の第１溝22が凹設され、下ロクロには第１溝と対応するガイド孔24が穿設されて上下ロクロが結合され、上昇降管には多数のガイド溝32が凹設され、下昇降管にはガイド溝と対応する第２溝34が凹設されて上下昇降管が結合され、第１溝とガイド孔との間、第２溝とガイド溝との間には連結具50が遊嵌され、連結具には親骨または支骨がはめ込まれる嵌合孔50bが穿設されて、上下ロクロにはめ込まれた連結具の嵌合孔には親骨がはめ込まれ、上下昇降管にはめ込まれた連結具の嵌合孔には支骨がはめ込まれることを特徴とする。【選択図】図１
2012147943.tif 000002
【特許請求の範囲】
【請求項１】
握柄（４０）を有する傘軸（１０）のロクロ（２０）には防水傘布（１１）が張られた親骨（２１）が蝶着され、傘軸（１０）に固着されて昇降する昇降管（３０）と親骨（２１）との間には支骨（３１）の両端がそれぞれ蝶着されて、昇降管（３０）を上方へ押し上げると、支骨（３１）が上昇しつつ親骨（２１）が完全に開傘すると共に、支骨（３１）がロクロ（２０）に近付いて固定される傘（１）において、
前記ロクロ（２０）および昇降管（３０）がそれぞれ上ロクロ（２０ａ）および下ロクロ（２０ｂ）と上昇降管（３０ａ）および下昇降管（３０ｂ）とに分離形成され、上ロクロ（２０ａ）の下円周面には多数の半球状の第１溝（２２）が凹設され、下ロクロ（２０ｂ）の円周面には前記第１溝（２２）と対応するガイド孔（２４）が穿設されて上ロクロ（２０ａ）および下ロクロ（２０ｂ）が結合され、上昇降管（３０ａ）の円周面には多数のガイド溝（３２）が凹設され、下昇降管（３０ｂ）の上円周面には前記ガイド溝（３２）と対応する半球状の第２溝（３４）が凹設されて上昇降管（３０ａ）および下昇降管（３０ｂ）が結合され、第１溝（２２）とガイド孔（２４）との間および第２溝（３４）とガイド溝（３２）との間には一方の側に結合球（５０ａ）が形成された連結具（５０）が遊嵌され、連結具（５０）の他方の側には親骨（２１）または支骨（３１）がはめ込まれる嵌合孔（５０ｂ）が穿設されて、上ロクロ（２０ａ）および下ロクロ（２０ｂ）にはめ込まれた連結具（５０）の嵌合孔（５０ｂ）には親骨（２１）がはめ込まれ、上昇降管（３０ａ）および下昇降管（３０ｂ）にはめ込まれた連結具（５０）の嵌合孔（５０ｂ）には支骨（３１）がはめ込まれることを特徴とする傘。
【請求項２】
前記上ロクロ（２０ａ）および下ロクロ（２０ｂ）ならびに上昇降管（３０ａ）および下昇降管（３０ｂ）がそれぞれ接着手段により貼り合わせられるか、あるいは、前記上ロクロ（２０ａ）に第１係止爪（２５ａ）付き第１係合突起（２５）が形成され、下ロクロ（２０ｂ）に第１係止爪（２５ａ）がはめ込まれる第１係合溝（２３）が凹設されて、第１係止爪（２５ａ）が第１係合溝（２３）にはめ込まれて上ロクロ（２０ａ）および下ロクロ（２０ｂ）を結合するように構成され、前記上昇降管（３０ａ）に第２係止爪（３５ａ）付き第２係合突起（３５）が形成され、下昇降管（３０ｂ）に第２係止爪（３５ａ）がはめ込まれる第２係合溝（３３）が凹設されて、第２係止爪（３５ａ）が第２係合溝（３３）にはめ込まれて上昇降管（３０ａ）および下昇降管（３０ｂ）を結合するように構成されて、上ロクロ（２０ａ）および下ロクロ（２０ｂ）ならびに上昇降管（３０ａ）および下昇降管（３０ｂ）が分離されずに固定されることを特徴とする請求項１に記載の傘。
【発明の詳細な説明】
【技術分野】
【０００１】
本発明は傘に係り、さらに詳しくは、親骨が固着されるロクロおよび支骨が固着される昇降管を改良して、組立性に非常に優れており、組立にかかる費用を節減するとともに量産化を容易ならしめ、しかも、信頼性および商品性を高められる傘に関する。
【背景技術】
【０００２】
一般に、傘は、傘軸に、親骨が固着されるロクロと、支骨が固着される昇降管および握柄を組み付けるときには、まず、傘軸の上段に前記ロクロを嵌め込み、その下段に昇降管を嵌め込んだ後、ロクロおよび昇降管の外周面に横方向に溝を凹設して、ロクロに凹設された溝と親骨、及び昇降管に凹設された溝と支骨を一体にして鉄糸を巻回して縛り合わせることにより完成されるため、その構成が複雑であり、その組付け作業が極めて煩雑で且つ不便であるといった不都合があった。
【０００３】
換言すると、傘軸にロクロ、昇降管、親骨、支骨および握柄を組み付けるに際して、全般的にその構成が複雑であるため、組付けに過大な手間がかかるといった不都合があり、これは、製造および組立によるコスト高につながる。
【発明の概要】
【発明が解決しようとする課題】
【０００４】
本発明は上記の事情に鑑みてなされたものであり、その目的は、親骨が固着されるロクロおよび支骨が固着される昇降管を改良して、組立性に非常に優れており、組立にかかる費用を節減するとともに量産化を容易ならしめ、しかも、信頼性および商品性を高められる傘を提供するところにある。
【課題を解決するための手段】
【０００５】
上記の目的を達成するために、本発明に係る傘は、握柄４０を有する傘軸１０のロクロ２０には防水傘布１１が張られた親骨２１が蝶着され、傘軸１０に固着されて昇降する昇降管３０と親骨２１との間には支骨３１の両端がそれぞれ蝶着されて、昇降管３０を上方へ押し上げると、支骨３１が上昇しつつ親骨２１が完全に開傘すると共に、支骨３１がロクロ２０に近付いて固定される傘１において、前記ロクロ２０及び昇降管３０がそれぞれ上下ロクロ２０ａ、２０ｂと上下昇降管３０、３０ｂとに分離形成され、上ロクロ２０ａの下円周面には多数の半球状の第１溝２２が凹設され、下ロクロ２０ｂの円周面には前記第１溝２２と対応するガイド孔２４が穿設されて上下ロクロ２０ａ、２０ｂが結合され、上昇降管３０ａの円周面には多数のガイド溝３２が凹設され、下昇降管３０ｂの上円周面には前記ガイド溝３２と対応する半球状の第２溝３４が凹設されて上下昇降管３０ａ、３０ｂが結合され、第１溝２２とガイド孔２４との間および第２溝３４とガイド溝３２との間には一方の側に結合球５０ａが形成された連結具５０が遊嵌され、連結具５０の他方の側には親骨２１または支骨３１がはめ込まれる嵌合孔５０ｂが穿設されて、上下ロクロ２０ａ、２０ｂにはめ込まれた連結具５０の嵌合孔５０ｂには親骨２１がはめ込まれ、上下昇降管３０ａ、３０ｂにはめ込まれた連結具５０の嵌合孔５０ｂには支骨３１がはめ込まれることを特徴とする。
【発明の効果】
【０００６】
本発明によれば、親骨２１および支骨３１を鉄糸を用いてロクロ２０および昇降管３０に蝶着していた既存の作業に代えて、上下ロクロ２０ａ、２０ｂの間および上下昇降管３０ａ、３０ｂの間に連結具５０を遊嵌することにより、親骨２１および支骨３１のロクロ２０および昇降管３０への蝶着にかかる時間が省かれ、その結果、組立性に非常に優れており、組立にかかる費用を節減するとともに量産化を容易ならしめ、しかも、信頼性および商品性を高められる傘を提供することができる。
【図面の簡単な説明】
【０００７】
【図１】本発明の一実施の形態による傘を例示する斜視図。
【図２】本発明の一実施の形態による傘におけるロクロを例示する分解斜視図。
【図３】本発明の一実施の形態による傘における昇降管を例示する分解斜視図。
【図４】本発明の一実施の形態による傘を例示する断面図。
【図５ａ】本発明の一実施の形態による傘におけるロクロを例示する分解断面図。
【図５ｂ】本発明の一実施の形態による傘における昇降管を例示する分解断面図。
【図６ａ】本発明の他の実施の形態による傘におけるロクロを例示する分解断面図。
【図６ｂ】本発明の他の実施の形態による傘における昇降管を例示する分解断面図。
【発明を実施するための形態】
【０００８】
以下、添付図面に基づき、本発明の好適な実施の形態による傘を詳述する。
【０００９】
図１から図６ｂに示すように、本発明の好適な実施の形態による傘は、握柄４０を有する傘軸１０のロクロ２０には防水傘布１１が張られた親骨２１が蝶着され、傘軸１０に固着されて昇降する昇降管３０と親骨２１との間には支骨３１の両端がそれぞれ蝶着されて、昇降管３０を上方へ押し上げると、支骨３１が上昇しつつ親骨２１が完全に開傘すると共に、支骨３１がロクロ２０に近付いて固定される。
【００１０】
もちろん、このような構成を有する傘１は既に公知である。
【００１１】
しかしながら、本発明において最も重要な特徴は、ロクロ２０および昇降管３０を改良して、親骨２１及び支骨３１を鉄糸などにより結合することなく、上下ロクロ２０ａ、２０ｂの間、および上下昇降管３０ａ、３０ｂの間に連結具５０を遊嵌することにより、傘１の組立性に非常に優れており、組立にかかる費用を節減するとともに量産化を容易ならしめ、しかも、信頼性および商品性を高められる傘を提供するところにある。
【００１２】
すなわち、前記ロクロ２０および昇降管３０をそれぞれ上下ロクロ２０ａ、２０ｂと上下昇降管３０ａ、３０ｂとに分離形成する。
【００１３】
前記上ロクロ２０ａの下円周面には、後述する連結具５０の結合球５０ａがはめ込まれる多数の半球状の第１溝２２を凹設する。
【００１４】
前記下ロクロ２０ｂの円周面には、前記第１溝２２と対応する個所に、後述する連結具５０の結合球５０ａがはめ込まれるガイド孔２４を穿設する。
【００１５】
前記上ロクロ２０ａおよび下ロクロ２０ｂを接着手段などにより貼り合わせる。
【００１６】
前記上昇降管３０ａの円周面には、後述する連結具５０がはめ込まれる多数のガイド溝３２を凹設する。
【００１７】
前記下昇降管３０ｂの円周面には、前記ガイド溝３２と対応する個所に、後述する連結具５０の結合球５０ａがはめ込まれる半球状の第２溝３４を凹設する。
【００１８】
前記上昇降管３０ａおよび下昇降管３０ｂは接着手段などにより貼り合わせる。
【００１９】
ここで、前記上下ロクロ２０ａ、２０ｂ、および上下昇降管３０ａ、３０ｂを接着手段により貼り合わせてもよいが、前記上ロクロ２０ａに第１係止爪２５ａ付き第１係合突起２５を形成し、下ロクロ２０ｂに第１係止爪２５ａがはめ込まれる第１係合溝２３を凹設して、第１係止爪２５ａが第１係合溝２３にはめ込まれて上下ロクロ２０ａ、２０ｂを結合するように構成し、前記上昇降管３０ａに第２係止爪３５ａ付き第２係合突起３５を形成し、下昇降管３０ｂに第２係止爪３５ａがはめ込まれる第２係合溝３３を凹設して、第２係止爪３５ａが第２係合溝３３にはめ込まれて上下昇降管３０ａ、３０ｂを結合するように構成して、上下ロクロ２０ａ、２０ｂと上下昇降管３０ａ、３０ｂが分離されずに固定されるようにしてもよい。
【００２０】
前記連結具５０の一方の側には、前記第１溝２２とガイド孔２４との間、第２溝３４とガイド溝３２との間、前記第２溝３４およびガイド溝３２に遊嵌する結合球５０ａを形成し、連結具５０の他方の側には親骨２１または支骨３１がはめ込まれる嵌合孔５０ｂを穿設する。
【００２１】
前記上下ロクロ２０ａ、２０ｂにはめ込まれた連結具５０の嵌合孔５０ｂには親骨２１がはめ込まれ、上下昇降管３０ａ、３０ｂにはめ込まれた連結具５０の嵌合孔５０ｂには支骨３１を嵌め込んで傘を組み立てる。
【００２２】
上記の構成を有する本発明においては、上下ロクロ２０ａ、２０ｂの第１溝２２とガイド孔２４との間、および上下昇降管３０ａ、３０ｂの第２溝３４とガイド溝３２との間に結合球５０ａが形成された連結具５０を遊動自在且つ離脱不能にはめ込み、前記連結具５０の嵌合孔５０ｂに親骨２１および支骨３１を嵌め込んで傘１を組み立てている。このため、親骨２１および支骨３１を従来のように鉄糸などにより縛り合わせる作業が不要になり、上下ロクロ２０ａ、２０ｂの間および上下昇降管３０ａ、３０ｂの間に連結具５０を摺動自在に嵌め込んで親骨２１および支骨３１を回動自在に固定することにより、傘１の組立性に非常に優れており、組立にかかる費用を節減するとともに量産化を容易ならしめ、しかも、信頼性および商品性を高められる傘を提供することができる。
【００２３】
以上、本発明の好適な実施の形態による傘について説明したが、本発明は上述した実施の形態に何ら制限されるものではなく、特許請求の範囲において請求する本発明の要旨を逸脱しない範囲において、当該本発明が属する技術分野において通常の知識を持った者であれば誰でも様々な変形実施が可能であることはもちろん、そのような変更は記載の特許請求の範囲内にある。
【符号の説明】
【００２４】
１：傘、
１０：傘軸、
１１：防水傘布、
２０：ロクロ、
２０ａ：上ロクロ、
２０ｂ：下ロクロ、
２１：親骨、
２２：第１溝、
２３：第１係合溝、
２４：ガイド孔、
２５：第１係合突起、
２５ａ：第１係止爪、
３０：昇降管、
３０ａ：上昇降管、
３０ｂ：下昇降管、
３１：支骨、
３２：ガイド溝、
３３：第２係合溝、
３４：第２溝、
３５：第２係合突起、
３５ａ：第２係止爪、
４０：握柄
【図１】
2012147943.tif 000003
【図２】
2012147943.tif 000004
【図３】
2012147943.tif 000005
【図４】
2012147943.tif 000006
【図５ａ】
2012147943.tif 000007
【図５ｂ】
2012147943.tif 000008
【図６ａ】
2012147943.tif 000009
【図６ｂ】
2012147943.tif 000010